(57)【要約】    【課題】  撮像装置の画像表示面に取り外し可能に取り付けて用いるファインダー光学系において、画像表示面が大型化した場合でも全系の小型化を図りつつ画像表示面に表示される画像を良好に観察することができるファインダー光学系を得ること。    【解決手段】  画像表示面の有効面における短辺方向の長さをＬ、画像表示面の有効面における短辺方向の端より射出される光束の下光線が第１反射面で反射するときの反射点のうち、画像表示面に最も近い反射点を点Ｐ、画像表示面と点Ｐとのファインダー光学系の光軸方向の距離をＭ、画像表示面の画面中心から出射してファインダー光学系の光軸上を通る光線が第１反射面及び第２反射面で反射し、第１レンズの画像表示面側のレンズ面頂点に入射するまでの光路長をＮ、視度０ディオプターのときの前記接眼光学系の焦点距離をｆとし、各々適切に設定する。【選択図】    図１
2016090693.tif 000002
【特許請求の範囲】
【請求項１】
画像表示面に表示された画像を観察するためのファインダー光学系であって、
前記ファインダー光学系は前記画像表示面から順に、第１反射面、第２反射面、接眼光学系を有し、前記接眼光学系は前記画像表示面から観察側へ順に、負の屈折力の第１レンズ、正の屈折力の第２レンズを有し、
前記画像表示面の有効面における短辺方向の長さをＬ、前記画像表示面の有効面における短辺方向の端より射出される光束の下光線が前記第１反射面で反射するときの反射点のうち、前記画像表示面に最も近い反射点を点Ｐ、前記画像表示面と前記点Ｐとの前記ファインダー光学系の光軸方向の距離をＭ、前記画像表示面の画面中心から出射して前記ファインダー光学系の光軸上を通る光線が前記第１反射面及び前記第２反射面で反射し、前記第１レンズの画像表示面側のレンズ面頂点に入射するまでの光路長をＮ、視度０ディオプターのときの前記接眼光学系の焦点距離をｆとするとき、
１．３＜Ｌ／Ｍ＜１３．７
０．５８＜Ｎ／ｆ＜０．７９
なる条件式を満たすことを特徴とするファインダー光学系。
【請求項２】
前記ファインダー光学系の光軸方向の成分と前記画像表示面の短辺方向の成分を含む垂直断面内における前記画像表示面と前記第２反射面とのなす角度をθ２とするとき、
９°＜θ２＜８０°
なる条件式を満足することを特徴とする請求項１に記載のファインダー光学系。
【請求項３】
視度調整に際して前記第２レンズは移動し、前記第２レンズの焦点距離をｆｐとするとき、
０．１０＜ｆｐ／ｆ＜０．３７
なる条件式を満足することを特徴とする請求項１又は２に記載のファインダー光学系。
【請求項４】
前記接眼光学系は、−６．５〜＋３．０（１／ｍ）範囲の視度調整を行うことを特徴とする請求項１乃至３のいずれか１項に記載のファインダー光学系。
【請求項５】
撮像光学系によって形成される画像を表示する画像表示面と、前記画像表示面に表示される画像を観察するための請求項１乃至４のいずれか１項のファインダー光学系を有することを特徴とする撮像装置。
【発明の詳細な説明】
【技術分野】
【０００１】
本発明は、ファインダー光学系及びそれを有する撮像装置に関し、特にビデオカメラ、放送用カメラ、スチルカメラ等に設けられている画像表示面に表示した画像を観察する際に好適なものである。
【背景技術】
【０００２】
ビデオカメラやスチルカメラなどの撮像装置では、動画及び静止画の撮影時や撮影後の画像の確認のために、液晶パネル等に代表されるような画像表示面が装置本体の裏側に設けられている。この画像表示面に表示される画像を観察する場合、外光が画像表示面に入射し、反射すると視認性が著しく低下することがある。また撮影時において、撮影者は物体距離が遠い被写体と物体距離の近い画像表示面を同時に認識したい場合がある。このとき双方に合焦するときの視度が異なる。このため双方を良好に観察するのが困難であった。
【０００３】
これに対して従来画像表示面に取り外し可能に取り付けて用いる接眼光学系を有するファインダー光学系が提案されている。このファインダー光学系では上記問題点を解決することができるため、快適に撮影を行うことができる。
【０００４】
このファインダー光学系においては、画像表示面の対角長を２Ｙ、視野角を２ω、接眼光学系全系の焦点距離をｆとすると、これらのパラメータはＹ＝ｆ×ｔａｎωとなる。この式より、任意の視野角を確保しながら画像表示面を大きくすると、接眼光学系全系の焦点距離も長くなる。このため、画像表示面が直視でも使えるほど大きいファインダー光学系では、全体が大型化してくる。
【０００５】
従来、２つの反射ミラーを用いて光路を折り曲げて全体の小型化を図ったファインダー光学系が知られている（特許文献１，２）。特許文献１では、画像表示面からの光束を第１反射面で反射させ、画像表示面とほぼ同一平面上にある第２反射面にて再度光束を全反射させ、接眼光学系に導光するファインダー光学系（表示装置）を開示している。特許文献２では画像表示面からの光束を第１反射面及び第２反射面にて鏡面反射させ、接眼光学系に導光するファインダー光学系を開示している。
【先行技術文献】
【特許文献】
【０００６】
【特許文献１】特開平10-304228号公報
【特許文献２】特開平11-196302号公報
【発明の概要】
【発明が解決しようとする課題】
【０００７】
画像表示面からの光束を２つの反射面を用いて接眼光学系を介して観察者の瞳に導くファインダー光学系は全系の小型化が容易となる。しかしながら全系の小型化を図りつつ、画像表示面に表示された画像の見えを良好にするためには、画像表示面の大きさに対する２つの反射面の位置や、角度及び接眼光学系の構成等を適切にすることが重要である。これらの構成が適切でないと、画像表示面が大型のときにはファインダー光学系の小型化を図りつつ、画像表示面に表示される画像を良好に観察するのが困難になる。
【０００８】
例えば１つの反射面に全反射領域と鏡面反射領域の両方を設けるとき、１つの反射面の全面が鏡面反射領域の反射面に比べ、両者のつなぎ目部分に反射率の不連続性が生じる場合がある。そうするとファインダー光学系の視認性が低下してくる。また反射面をプリズムを用いて構成すると、重量が重くなってくる。
【０００９】
本発明は、撮像装置の画像表示面に取り外し可能に取り付けて用いるファインダー光学系において、画像表示面が大型化した場合でも全系の小型化を図りつつ画像表示面に表示される画像を良好に観察することができるファインダー光学系の提供を目的とする。
【課題を解決するための手段】
【００１０】
本発明のファインダー光学系は、画像表示面に表示された画像を観察するためのファインダー光学系であって、前記ファインダー光学系は前記画像表示面から順に、第１反射面、第２反射面、接眼光学系を有し、前記接眼光学系は前記画像表示面から観察側へ順に、負の屈折力の第１レンズ、正の屈折力の第２レンズを有し、前記画像表示面の有効面における短辺方向の長さをＬ、前記画像表示面の有効面における短辺方向の端より射出される光束の下光線が前記第１反射面で反射するときの反射点のうち、前記画像表示面に最も近い反射点を点Ｐ、前記画像表示面と前記点Ｐとの前記ファインダー光学系の光軸方向の距離をＭ、前記画像表示面の画面中心から出射して前記ファインダー光学系の光軸上を通る光線が前記第１反射面及び前記第２反射面で反射し、前記第１レンズの画像表示面側のレンズ面頂点に入射するまでの光路長をＮ、視度０ディオプターのときの前記接眼光学系の焦点距離をｆとするとき、
１．３＜Ｌ／Ｍ＜１３．７
０．５８＜Ｎ／ｆ＜０．７９
なる条件式を満たすことを特徴としている。
【発明の効果】
【００１１】
本発明によれば、撮像装置の画像表示面に取り外し可能に取り付けて用いるファインダー光学系において、画像表示面が大型化した場合でも全系の小型化を図りつつ画像表示面に表示される画像を良好に観察することができるファインダー光学系が得られる。
【図面の簡単な説明】
【００１２】
【図１】本発明のファインダー光学系の光学断面図
【図２】（Ａ）、（Ｂ）、（Ｃ）  数値実施例１の光学系のレンズ断面図
【図３】数値実施例１の光学系の基準状態における収差図
【図４】（Ａ）、（Ｂ）、（Ｃ）  数値実施例２の光学系のレンズ断面図
【図５】数値実施例２の光学系の基準状態における収差図
【図６】（Ａ）、（Ｂ）、（Ｃ）  数値実施例３の光学系のレンズ断面図
【図７】数値実施例３の光学系の基準状態における収差図
【図８】（Ａ）、（Ｂ）、（Ｃ）  数値実施例４の光学系のレンズ断面図
【図９】数値実施例４の光学系の基準状態における収差図
【図１０】（Ａ）、（Ｂ）、（Ｃ）  数値実施例５の光学系のレンズ断面図
【図１１】数値実施例５の光学系の基準状態における収差図
【図１２】（Ａ）、（Ｂ）、（Ｃ）  数値実施例６の光学系のレンズ断面図
【図１３】数値実施例６の光学系の基準状態における収差図
【図１４】（Ａ）、（Ｂ）、（Ｃ）  数値実施例７の光学系のレンズ断面図
【図１５】数値実施例７の光学系の基準状態における収差図
【図１６】（Ａ）、（Ｂ）、（Ｃ）  数値実施例８の光学系のレンズ断面図
【図１７】数値実施例８の光学系の基準状態における収差図
【図１８】（Ａ）、（Ｂ）、（Ｃ）  数値実施例９の光学系のレンズ断面図
【図１９】数値実施例９の光学系の基準状態における収差図
【図２０】本発明のファインダー光学系をカメラに適用した場合の要部概略図
【発明を実施するための形態】
【００１３】
本発明のファインダー光学系の実施の形態を図面に基づいて以下説明する。本発明のファインダー光学系は、画像表示面に表示された画像を観察するためのファインダー光学系であって、ファインダー光学系は画像表示面から順に第１反射面、第２反射面、接眼光学系を有している。接眼光学系は画像表示面から観察側へ順に、負の屈折力の第１レンズ、正の屈折力の第２レンズを有している。
【００１４】
図１は本発明のファインダー光学系の光学断面図である。図２（Ａ）、（Ｂ）、（Ｃ）は本発明の実施例１のファインダー光学系の基準状態（−２．０ディオプター）、＋２．５ディオプター、−６．０ディオプターにおける光学断面図である。図３は本発明の実施例１の基準状態における諸収差図である。図４（Ａ）、（Ｂ）、（Ｃ）は本発明の実施例２のファインダー光学系の基準状態（−２．０ディオプター）、＋２．５ディオプター、−６．０ディオプターにおける光学断面図である。図５は本発明の実施例２の基準状態における諸収差図である。
【００１５】
図６（Ａ）、（Ｂ）、（Ｃ）は本発明の実施例３のファインダー光学系の基準状態（−２．０ディオプター）、＋２．０ディオプター、−５．５ディオプターにおける光学断面図である。図７は本発明の実施例３の基準状態における諸収差図である。図８（Ａ）、（Ｂ）、（Ｃ）は本発明の実施例４のファインダー光学系の基準状態（−２．０ディオプター）、＋２．０ディオプター、−５．５ディオプターにおける光学断面図である。図９は本発明の実施例４の基準状態における諸収差図である。
【００１６】
図１０（Ａ）、（Ｂ）、（Ｃ）は本発明の実施例５のファインダー光学系の基準状態（−２．０ディオプター）、＋２．０ディオプター、−５．５ディオプターにおける光学断面図である。図１１は本発明の実施例５の基準状態における諸収差図である。図１２（Ａ）、（Ｂ）、（Ｃ）は本発明の実施例６のファインダー光学系の基準状態（−２．０ディオプター）、＋２．０ディオプター、−５．５ディオプターにおける光学断面図である。図１３は本発明の実施例６の基準状態における諸収差図である。
【００１７】
図１４（Ａ）、（Ｂ）、（Ｃ）は本発明の実施例７のファインダー光学系の基準状態（−２．０ディオプター）、＋２．０ディオプター、−５．５ディオプターにおける光学断面図である。図１５は本発明の実施例７の基準状態における諸収差図である。図１６（Ａ）、（Ｂ）、（Ｃ）は本発明の実施例８のファインダー光学系の基準状態（−２．０ディオプター）、＋２．０ディオプター、−５．５ディオプターにおける光学断面図である。図１７は本発明の実施例８の基準状態における諸収差図である。
【００１８】
図１８（Ａ）、（Ｂ）、（Ｃ）は本発明の実施例９のファインダー光学系の基準状態（−２．０ディオプター）、＋２．０ディオプター、−５．５ディオプターにおける光学断面図である。図１９は本発明の実施例９の基準状態における諸収差図である。図２０は本発明の撮像装置の要部概略図である。
【００１９】
図１のファインダー光学系の光学断面図（垂直断面図）において、２は撮像装置の画像表示面であり、液晶パネルよりなっている。画像表示面２は矩形状であり、図１では画像表示面２の矩形方向を示している。Ｒｅｆ１は第１反射面、Ｒｅｆ２は第２反射面である。ＯＥは接眼光学系である。ＥＰはアイポイントであり、観察者の観察位置に相当している。Ｏａはファインダー光学系の光軸である。光軸Ｏａは画像表示面２の中心２ａを垂直に出射し、アイポイントＥＰの中心Ｅｐａに垂直に入射する光線に相当している。
【００２０】
θ１は画像表示面２と第１反射面Ｒｅｆ１とのなす角度である。θ２は画像表示面２と第２反射面Ｒｅｆ２とのなす角度である。なお、画像表示面２から接眼光学系ＯＥとの間又は接眼光学系ＯＥとアイポイントＥＰの間に、画像表示面２やレンズを保護するプレート等を設けられている場合がある。また、アイポイントＥＰの光軸方向の位置は画像表示面２の最周辺からの光線が観察者の瞳を通過する範囲内であれば光軸方向に移動しても良い。
【００２１】
球面収差図において、ｄはｄ線、ｇはｇ線である。非点収差図においてＭはメリジオナル像面、Ｓはサジタル像面である。倍率色収差においてｇはｇ線である。Ｙは画像表示面における像高である。
【００２２】
図２０の撮像装置について説明する。図２０において、１は撮像装置のカメラ本体である。２は撮像装置の画像表示面であり、カメラ本体１内の撮像光学系で撮像される画像が表示される。３は本発明の画像表示素子２に表示された被写体像（画像情報）を観察するためのファインダー光学系である。画像表示素子２は液晶パネル等によって構成される。４は第１保持枠であり、裏面には図１に示す第１反射ミラーＲｅｆ１が設けられている。５は第２保持枠であり、裏面には図１に示す第２反射ミラーＲｅｆ２が設けられている。６は鏡筒である。鏡筒６の内には図１に示す接眼光学系ＯＥが収納されている。
【００２３】
本発明のファインダー光学系ではビデオカメラ等の撮像装置の画像表示面に適用することにより、画像表示面２に表示した被写体像を観測している。
【００２４】
本実施例のファインダー光学系では画像表示面２に表示された画像を光束の通過順に、第１反射面Ｒｅｆ１、第２反射面Ｒｅｆ２、接眼光学系Ｌを介してアイポイントＥＰから観察している。接眼光学系ＯＥは画像表示面１からアイポイントＥＰ側へ順に負の屈折力の第１レンズＧ１、視度調整用の正の屈折力の第２レンズＧ２よりなっている。接眼光学系ＯＥの全系は正の屈折力を有する。接眼光学系ＯＥは正の屈折力を有するレンズが多い方が各レンズで緩やかに集光させる事が出来、高次収差の発生を少なくすることができる。
【００２５】
しかしながら、正の屈折力を有するレンズのみでは軸上色収差、倍率色収差等の諸収差の補正が困難となる。このため、負の屈折力を有するレンズを用いて色収差を補正としている。また、パワー配置を画像表示面２側から負の屈折力の第１レンズＧ１、正の屈折力の第２レンズＧ２とすることで瞳側主点位置を瞳側に移動させている。これにより画像表示面２から第１レンズＧ１までの光路長を短くしている。
【００２６】
本発明のファインダー光学系は画像表示面２の有効面における短辺方向の長さをＬ、画像表示面２の有効面における短辺方向の端より射出される光束の下光線が第１反射面Ｒｅｆ１で反射するときの反射点のうち、画像表示面２に最も近い反射点を点Ｐとする。
【００２７】
画像表示面２と点Ｐとのファインダー光学系の光軸方向の距離をＭとする。画像表示面２の画面中心から出射したファインダー光学系の光軸上を通る光線が第１反射面Ｒｅｆ１及び第２反射面Ｒｅｆ２で反射し、第１レンズＧ１の画像表示面側のレンズ面頂点に入射するまでの光路長をＮとする。視度０ディオプターのときの接眼光学系ＯＥの焦点距離をｆとする。このとき、
１．３＜Ｌ／Ｍ＜１３．７    ・・・（１）
０．５８＜Ｎ／ｆ＜０．７９  ・・・（２）
なる条件式を満たす。
【００２８】
ここで画像表示面２の一点から出射した光束の下光線とは画像表示面２から出射し、観察者の瞳ＥＰに入射する光線の内、画像表示面２と第１反射面Ｒｅｆ１の間で光軸Ｏａから最も離れた光線をいう。また光路長Ｎは画像表示面２の画面中心２ａから出射した光軸Ｏａ上の光線が第１反射面Ｒｅｆ１の反射点Ｒｅｆ１ａで反射する。そして第２反射面Ｒｅｆ２の第２反射面Ｒｅｆ２ａで反射した後にレンズＧ１の画像表示面側（入射側）のレンズ面頂点Ｇ１ａに入射するまでの距離である。
【００２９】
次に前述の各条件式の技術的意味について説明する。条件式（１）は画像表示面２の有効面における短辺方向の長さと、画像表示面２と第１反射面Ｒｅｆ１の間隔を規定している。画像表示面２から射出される光線を第１反射面Ｒｅｆ１で反射する際に、画像表示面２の有効面における短辺方向に反射させることでファインダー光学系全体を小さくしている。もし画像表示面２の有効面が正方形の場合はどちらの辺の方向に反射させても良い。
【００３０】
また、ビデオカメラやスチルカメラに搭載されている画像表示面を接眼光学系ＯＥで覗くファインダー光学系においては、画面サイズが２〜５インチ程度のため、接眼光学系ＯＥによって視野角を増やす必要性が低い。そのため接眼光学系ＯＥの有効径は画像表示面２より小さくなり、画像表示面２と第１レンズＧ１の間では、第１レンズＧ１に近い程光線有効径は小さくなる。
【００３１】
従って条件式（１）の上限を超えた場合は、第１反射面Ｒｅｆ１が画像表示面２に近づくため第１反射面Ｒｅｆ１の有効面積が大きくなり、全系の小型化が困難になる。逆に下限値を超えた場合、画像表示面２の長さに対し、画像表示面２と垂直方向の長さが長くなるため、ファインダー光学系が大型化してしまう。
【００３２】
条件式（２）は画像表示面２から第１レンズＧ１までの光路長とファインダー視度が０ｄｐｔ時の接眼光学系ＯＥ全系の焦点距離の比を規定している。条件式（２）の上限値を超えた場合、接眼光学系ＯＥの瞳側主点位置が画像表示面２側に移動する。これにより、画像表示面２から第１レンズＧ１までの光路長が長くなってしまい、ファインダー光学系が大型化してしまう。逆に下限を下回ると、コマ収差、歪曲収差が増加してくる。更に好ましくは条件式（１），（２）の数値範囲を次の如く設定するのが良い。
【００３３】
１．４＜Ｌ／Ｍ＜１３．１    ・・・（１ａ）
０．５８＜Ｎ／ｆ＜０．７７  ・・・（２ａ）
本発明のファインダー光学系において更に好ましくは次の条件式のうち１つ以上を満足するのが良い。ファインダー光学系３の光軸Ｏａ（光軸方向の成分）と画像表示面２の短辺方向とで形成される垂直断面内における画像表示面２と第２反射面Ｒｅｆ２とのなす角度をθ２とする。視度調整に際して第２レンズＧ２は移動し、第２レンズＧ２の焦点距離をｆｐとする。このとき、次の条件式のうち１つ以上を満足するのが良い。
【００３４】
９°＜θ２＜８０°            ・・・（３）
０．１０＜ｆｐ／ｆ＜０．３７  ・・・（４）
ここで角度θ２は接眼光学系ＯＥを通る光軸に対する垂線と第２反射鏡Ｒｅｆ２の反射面とのなす角度に相当する。
【００３５】
条件式（３）は第２反射面Ｒｅｆ２の配置角度を適切に設定している。第１反射面Ｒｅｆ１と同様、画像表示面２から射出される光線を画像表示面２の短辺方向に反射させることでファインダー光学系全体を小型化している。条件式（３）の上限値を超えると、第１反射面Ｒｅｆ１によって反射された光線が第１レンズＧ１でケラれる場合が生じてくる。逆に下限を超えると、第２反射面Ｒｅｆ２の有効面積が大きくなり、ファインダー光学系が大型化してしまう。
【００３６】
また本発明のファインダー光学系では正の屈折力の第２レンズＧ２を光軸方向に移動させることで視度調整を行っている。
【００３７】
条件式（４）は第１レンズＧ１の焦点距離に関する。条件式（４）は視度調整に用いられる正の屈折力の第２レンズＧ２と視度０ディオプター（ｄｐｔ）時の接眼光学系ＯＥ全系の焦点距離の比を規定している。条件式（４）の上限値を超えると、視度調整のための正の屈折力の第２レンズＧ２の光軸上の移動量が増加し、ファインダー光学系全体が大型化する。逆に下限を下回ると、視度調整時に倍率色収差の変動量が増大してくる。更に好ましくは条件式（３），（４）の数値範囲を次の如く設定するのが良い。
【００３８】
９．５°＜θ２＜７４．６°      ・・・（３ａ）
０．１１＜ｆｐ／ｆ＜０．３５    ・・・（４ａ）
以上のように本発明によれば、大きな画像表示面に取り付けて用いても全系が小型で、見えが良好なファインダー光学系を得ることができる。
【００３９】
本発明のファインダー光学系において好ましくは次の構成をとるのが良い。第２反射面Ｒｅｆ２の長辺方向の角度成分は、画像表示面２に対して９°以下であることが望ましい。同様に第１反射面Ｒｅｆ１の長辺方向の角度成分も９°以下であることが望ましい。また、本発明のファインダー光学系では第１反射面Ｒｅｆ１は１度反射した光線を再反射しないことが望ましい。
【００４０】
画像表示面２からの光線が第１反射面Ｒｅｆ１で反射し、第２反射面Ｒｅｆ２で反射し、第１反射面Ｒｅｆ１に入射するような構成は全反射を利用するプリズムか、第１反射面Ｒｅｆ１がハーフミラーの場合である。プリズムを用いた場合、重量が重くなり、構成が複雑化する。また、ハーフミラーを用いた場合、瞳に届く光量が減少してしまうので良くない。
【００４１】
また、本発明のファインダー光学系は、接眼光学系ＯＥを構成する各レンズに少なくとも１つ以上の非球面を有することが望ましい。ファインダー光学系を小型化するにはレンズ枚数をできる限り少なくすることが望ましい。レンズ枚数を削減するには、コマ収差、歪曲収差及び高次収差等の諸収差の補正が不可欠となる。各レンズに少なくとも１面以上の非球面を用いれば、小型化を図りつつこれらの諸収差を良好に補正することが容易となる。
【００４２】
また、本発明のファインダー光学系は、−６．５〜＋３．０（１／ｍ）範囲の視度調整範囲を有することが望ましい。上記範囲を超えた場合、視度調整による視度補正用のレンズの移動量が大きくなり、ファインダー光学系全体が大型化する。
【００４３】
以下に本発明の実施例１乃至９に相当する数値実施例１乃至９を記載する。数値実施例において、ｒｉは画像表示面２側より順に第ｉ番目の面の曲率半径、ｄｉは第ｉ番目の面と第ｉ＋１番目の面の間隔（レンズ厚あるいは空気間隔）、ｎｄｉとνｄｉはそれぞれ第ｉ番目のレンズの材料の屈折率とアッベ数である。また、θｉは画像表示面２側より順に第ｉ番目の反射面と画像表示面２の短辺方向とがなす角度である。
【００４４】
ｒ１、ｒ２は画像表示面を構成する光学部材（ガラス部材）の光入射面と光出射面である。ｒ３は第１反射面、ｒ４は第２反射面に相当する。ｒ５、ｒ６は第１レンズ、ｒ７、ｒ８は第２レンズに相当する。非球面形状は、光軸方向にＸ軸、光軸と垂直方向ｈ軸、光の進行方向を正とし、Ｒを近軸曲率半径、ｋを円錐係数、非球面係数をＡ４、Ａ６、Ａ８としたとき、
【００４５】
【数１】
2016090693.tif 000003
【００４６】
なる式で表している。また、例えば「ｅ−Ｚ」の表示は「１０−Ｚ」を意味する。また前述の各条件式と数値実施例との関係を表１に示す。
【００４７】
［数値実施例１］
単位 mm
面データ
面番号       r        d      nd         νd      θ
1          ∞       2.41   1.51633    64.1        
2          ∞      22.80                          
3          ∞      37.80                       36.8 
4          ∞      21.6                        36.8 
5*       -59.853    3.00   1.49171    57.4        
6*        18.325  (可変)                             
7*        21.804    8.00   1.49171    57.4           
8*       -68.964  (可変)                             
9(アイポイント) 
非球面データ
第5面
K = 7.89011e+000  
第6面
K =-1.39338e+000  
第7面
K =-1.10848e+000  A 4=-7.03741e-006  A 6=-1.82246e-008  A 8=-8.54075e-011  
第8面
K =-7.78002e+000  A 4=-1.25120e-005  A 6=-2.11890e-008  
各種データ
視度[diopter] -2.0     +2.5      -6.0       0
焦点距離      210.95   96.51  -3552668  139.90
d 6            9.37    14.86     4.73    11.72
d 8           20.41    14.92    25.04    18.06
【００４８】
［数値実施例２］
単位 mm
面データ
面番号       r        d      nd         νd         θ
1          ∞       2.41   1.51633    64.1           
2          ∞      21.30                             
3          ∞      37.60                         36.8
4          ∞      23.40                         36.8
5*       -59.853    3.00   1.49171    57.4           
6*        18.325  (可変)                             
7*        21.804    8.00   1.49171    57.4           
8*       -68.964  (可変)                             
9(アイポイント)                          
非球面データ
第5面
K = 7.89011e+000  
第6面
K =-1.39338e+000  
第7面
K =-1.10848e+000  A 4=-7.03741e-006  A 6=-1.82246e-008  A 8=-8.54075e-011  
第8面
K =-7.78002e+000  A 4=-1.25120e-005  A 6=-2.11890e-008  
各種データ
視度[diopter] -2.0     +2.5      -6.0       0
焦点距離      210.95   96.51  -3552668  139.90
d 6            9.37    14.86     4.73    11.72
d 8           20.41    14.92    25.04    18.06
【００４９】
［数値実施例３］
単位 mm
面データ
面番号       r        d      nd         νd         θ
1          ∞       2.41   1.51633    64.1           
2          ∞      17.40                             
3          ∞      31.70                         40.8
4          ∞      19.70                         40.8
5*       -47.419    1.30   1.53110    55.9           
6*        19.105  (可変)                             
7*        19.748    6.92   1.49171    57.4           
8*       -50.165  (可変)                             
9(アイポイント)  
非球面データ
第5面
K = 2.37792e+000  
第6面
K =-1.71109e+000  
第7面
K =-1.05549e+000  A 4=-7.00933e-006  A 6=-2.38559e-008  A 8= 7.69450e-012  
第8面
K =-1.45377e+001  A 4=-1.44953e-005  A 6= 5.13951e-010  
各種データ
視度[diopter] -2.0     +2.0      -5.5        0
焦点距離      152.88   88.99    404.98   112.84
d 6            7.69    11.25     4.60      9.45
d 8           22.09    18.53    25.18     20.33
【００５０】
［数値実施例４］
単位 mm
面データ
面番号       r        d      nd        νd         θ
1          ∞       2.00   1.51633    64.1           
2          ∞      41.10                             
3          ∞      55.10                         28.3
4          ∞      37.40                         28.3
5*       -45.115    1.30   1.49171    57.4           
6*        40.146  (可変)                             
7*        28.420    5.00   1.49171    57.4           
8*       -90.897  (可変)                             
9(アイポイント)  
非球面データ
第5面
K =-5.21229e-001  
第6面
K =-2.93125e+000  
第7面
K =-9.74935e-001  A 4=-7.84453e-006  A 6=-4.39117e-008  A 8= 1.85242e-011  
第8面
K =-5.92859e+001  A 4=-1.77178e-005  A 6=-5.17300e-009  
各種データ
視度[diopter] -2.0     +2.0      -5.5         0
焦点距離      294.82   131.80   17750.62  185.46
d 6            6.95    15.01     0.55      12.74
d 8           22.82    14.77    29.22      17.03
【００５１】
［数値実施例５］
単位 mm
面データ
面番号       r        d      nd         νd         θ
1          ∞       2.30   1.51633    64.1           
2          ∞      34.40                             
3          ∞      63.40                         36.0 
4          ∞      45.90                         36.0
5*       -61.635    1.28   1.58313    59.4           
6*        50.265  (可変)                             
7*        35.873    6.16   1.49171    57.4           
8*       -74.484  (可変)                             
9(アイポイント) 
非球面データ
第5面
K = 9.11587e-001  
第6面
K =-5.28332e+000  
第7面
K =-1.07285e+000  A 4=-8.13855e-006  A 6=-4.73423e-008  A 8= 1.01343e-011  
第8面
K =-4.25892e+001  A 4=-1.91998e-005  A 6=-1.18094e-008  
各種データ
視度[diopter] -2.0     +2.0      -5.3         0
焦点距離      348.83   139.46   -3507.81   204.69
d 6            7.95    18.16     0.48       12.74
d 8           21.82    11.61    29.30       17.03
【００５２】
［数値実施例６］
単位 mm
面データ
面番号       r        d      nd         νd         θ
1          ∞       2.41   1.51633    64.1           
2          ∞      31.20                             
3          ∞      37.90                         25.9 
4          ∞      33.60                         25.9
5*       -23.950    1.31   1.53110    55.9           
6*        12.840  (可変)                             
7*        14.357    6.04   1.49171    57.4           
8*       -29.066  (可変)                             
9(アイポイント)  
非球面データ
第5面
K =-2.45656e+000  
第6面
K =-1.61137e+000  
第7面
K =-1.16303e+000  A 4=-1.01256e-005  A 6=-5.32194e-008  A 8= 1.06224e-010  
第8面
K =-7.95896e+000  A 4=-1.71346e-005  A 6= 3.04453e-008  
各種データ
視度[diopter] -2.0     +2.0      -5.5       0
焦点距離      275.75   112.28  -749.02   158.66
d 6            4.39     6.07     2.81      5.25
d 8           25.38    23.70    26.96     24.53
【００５３】
［数値実施例７］
単位 mm
面データ
面番号       r        d      nd         νd         θ
1          ∞       2.41   1.51633    64.1           
2          ∞      22.80                             
3          ∞      37.80                         36.8
4          ∞      21.60                         36.8
5*       -57.093    2.00   1.49171    57.4           
6*        21.463    4.00                             
7          ∞       2.00   1.49171    57.4           
8*       123.667  (可変)                             
9*        21.576    5.49   1.49171    57.4           
10*       -68.029  (可変)                             
11(アイポイント)  
非球面データ
第5面
K =-1.04412e+001  
第6面
K =-7.00585e-001  
第8面
K = 3.98218e+001  
第9面
K =-8.52004e-001  A 4= 7.57279e-007  A 6=-5.43059e-008  A 8= 1.49293e-010  
第10面
K =-4.72840e+001  A 4=-1.46497e-005  A 6= 2.03799e-008  
各種データ
視度[diopter] -2.0     +2.0      -5.5       0
焦点距離      213.12   103.33   2432.77  104.03
d 8            5.09     9.73     1.10       7.37
d10           24.69    20.04    28.68      22.41
【００５４】
［数値実施例８］
単位 mm
面データ
面番号       r        d      nd         νd         θ
1          ∞       2.41   1.51633    64.1           
2          ∞      31.20                             
3          ∞      50.90                         30.0
4          ∞      20.60                         10.0
5*       -23.950    1.31   1.53110    55.9           
6*        12.840  (可変)                             
7*        14.357    6.04   1.49171    57.4           
8*       -29.066  (可変)                             
9(アイポイント)  
非球面データ
第5面
K =-2.45656e+000  
第6面
K =-1.61137e+000  
第7面
K =-1.16303e+000  A 4=-1.01256e-005  A 6=-5.32194e-008  A 8= 1.06224e-010  
第8面
K =-7.95896e+000  A 4=-1.71346e-005  A 6= 3.04453e-008  
各種データ
視度[diopter] -2.0     +2.0      -5.5
焦点距離      211.26   103.23    1689.15  
d 6            4.39     6.07     2.81  
d 8           25.38    23.70    26.96  
【００５５】
［数値実施例９］
単位 mm
面データ
面番号       r        d      nd         νd         θ
1          ∞       2.41   1.51633    64.1           
2          ∞      31.20                             
3          ∞      37.90                          48.0
4          ∞      33.60                          71.0
5*       -23.950    1.31   1.53110    55.9           
6*        12.840  (可変)                             
7*        14.357    6.04   1.49171    57.4           
8*       -29.066  (可変)                             
9(アイポイント)  
非球面データ
第5面
K =-2.45656e+000  
第6面
K =-1.61137e+000  
第7面
K =-1.16303e+000  A 4=-1.01256e-005  A 6=-5.32194e-008  A 8= 1.06224e-010  
第8面
K =-7.95896e+000  A 4=-1.71346e-005  A 6= 3.04453e-008  
各種データ
視度[diopter] -2.0     +2.0      -5.5
焦点距離     2740.75   112.28  -749.02  
d 6            4.39     6.07     2.81  
d 8           25.38    23.70    26.96  
前述の各条件式と数値実施例における諸数値との関係を表１に示す。
【００５６】
【表１】
2016090693.tif 000004
【符号の説明】
【００５７】
１  撮像装置本体      ２  画像表示面      ３  ファインダー光学系
Ｒｅｆ１  第１反射面      Ｒｅｆ２  第２反射面
ＯＥ  接眼光学系      Ｇ１  第１レンズ      Ｇ２  第２レンズ
ＥＰ  アイポイント
【図１】
2016090693.tif 000005
【図２】
2016090693.tif 000006
【図３】
2016090693.tif 000007
【図４】
2016090693.tif 000008
【図５】
2016090693.tif 000009
【図６】
2016090693.tif 000010
【図７】
2016090693.tif 000011
【図８】
2016090693.tif 000012
【図９】
2016090693.tif 000013
【図１０】
2016090693.tif 000014
【図１１】
2016090693.tif 000015
【図１２】
2016090693.tif 000016
【図１３】
2016090693.tif 000017
【図１４】
2016090693.tif 000018
【図１５】
2016090693.tif 000019
【図１６】
2016090693.tif 000020
【図１７】
2016090693.tif 000021
【図１８】
2016090693.tif 000022
【図１９】
2016090693.tif 000023
【図２０】
2016090693.tif 000024